(57)【要約】      （修正有）【課題】供試体の内部に水圧を直接的に作用させることにより、供試体の透水性を効果的に評価する。【解決手段】供試体１００の透水性を評価する試験装置であって、所定圧の水を圧送する水圧ポンプと、供試体１００内に埋設されると共に、水圧ポンプから圧送される水を供試体１００の内部から透水させる透水機構７４と、供試体１００内を透過した水を集水する集水機構の漏斗とを備えた。【選択図】図３
2019197014.tif 000002
【特許請求の範囲】
【請求項１】
供試体の透水性を評価する試験装置であって、
所定圧の水を圧送する圧送手段と、
前記供試体内に埋設されると共に、前記圧送手段から圧送される水を前記供試体の内部から透水させる透水手段と、
前記供試体内を透過した水を計量手段に集水する集水手段と、を備える
ことを特徴とする試験装置。
【請求項２】
前記供試体は、先行打設した一次コンクリート層と、後行打設した二次コンクリート層とを有するコンクリート供試体であり、
前記透水手段は、前記一次コンクリート層と前記二次コンクリート層との打継目に位置して埋設されて該打継目に水を透水させ、
前記集水手段は、前記打継目を透過して漏出する水を集水する
請求項１に記載の試験装置。
【請求項３】
前記透水手段は、前記圧送手段から圧送される水を浸透可能な多孔質体で形成された透水部材と、該透水部材を挟み込んで対向する一対のプレート部材とを有すると共に、該プレート部材の平面を前記打継目に並行させて前記コンクリート供試体内に埋設される
請求項２に記載の試験装置。
【請求項４】
一端を前記圧送手段に接続されると共に、他端を前記一対のプレート部材の何れか一方に固定されて、その内部流路を前記透水部材に連通させた水供給配管をさらに備える
請求項３に記載の試験装置。
【請求項５】
一端を前記一対のプレート部材の何れか一方に固定されて、その内部流路を前記透水部材に連通させると共に、他端を大気に開放された空気排出配管と、
前記空気排出配管の内部流路を開閉可能なバルブと、をさらに備える
請求項３又は４に記載の試験装置。
【請求項６】
前記集水手段は、前記打継目から漏出する水を集水する漏斗を含み、前記計量手段は、前記漏斗から滴下される水を貯留する計量容器である
請求項１から５の何れか一項に記載の試験装置。
【請求項７】
供試体の透水性を評価する試験方法であって、
所定圧の水を前記供試体内に圧送する圧送工程と、
圧送される水を前記供試体の内部から透水させる透水工程と、
前記供試体内を透過した水を計量する計量工程と、を含む
ことを特徴とする試験方法。
【請求項８】
前記供試体は、先行打設した一次コンクリート層と、後行打設した二次コンクリート層とを有するコンクリート供試体であり、
前記圧送工程では、前記一次コンクリート層と前記二次コンクリート層との打継目に前記所定圧の水を圧送し、前記透水工程では、圧送される水を前記打継目に透水させ、前記計量工程では、前記打継目を透過して漏出する水を計量する
請求項７に記載の試験方法。
【発明の詳細な説明】
【技術分野】
【０００１】
本開示は、試験装置及び、試験方法に関し、特に、供試体の透水性を評価する試験装置及び、試験方法に関する。
【背景技術】
【０００２】
一般的に、コンクリート構造物においては、先行打設したコンクリートと後行打設したコンクリートとの境界部位に打継目が生じる。特に、水上等に設置されるコンクリート製浮体構造物においては水密性が要求されるため、このような打継目の透水性が問題となる。このため、施工に際しては、施工条件を考慮したコンクリート供試体を準備し、該供試体の透水性を予め試験装置等により評価することが望まれる。
【０００３】
例えば、特許文献１には、容器内に収容したコンクリート供試体の外側から水圧を加えると共に、該供試体内を透過した水の量を計測することにより透水係数を求める試験装置が開示されている。
【先行技術文献】
【特許文献】
【０００４】
【特許文献１】特開平０８−１７８８２８号公報
【発明の概要】
【発明が解決しようとする課題】
【０００５】
ところで、上記特許文献１記載の技術では、コンクリート供試体の外側から水圧を加えるため、供試体を容器内に密閉状態で収容する必要がある。このため、施工条件等を考慮した大型のコンクリート供試体には対応できない課題がある。
【０００６】
また、打継目の透水性を正確に評価するには、コンクリート供試体の内部、すなわち、打継目部分に水圧を直接的に作用させることが望ましい。上記特許文献１記載の技術では、コンクリート供試体の外側から水圧を加えているため、供試体全体の透水性は評価できるが、打継目の透水性は正確に評価できない課題がある。
【０００７】
本開示の技術は、上記課題に鑑みてなされたものであり、供試体の内部に水圧を直接的に作用させることにより、供試体の透水性を効果的に評価することができる試験装置及び試験方法を提供することを目的とする。
【課題を解決するための手段】
【０００８】
本開示の装置は、供試体の透水性を評価する試験装置であって、所定圧の水を圧送する圧送手段と、前記供試体内に埋設されると共に、前記圧送手段から圧送される水を前記供試体の内部から透水させる透水手段と、前記供試体内を透過した水を計量手段に集水する集水手段と、を備えることを特徴とする。
【０００９】
また、前記供試体は、先行打設した一次コンクリート層と、後行打設した二次コンクリート層とを有するコンクリート供試体であり、前記透水手段は、前記一次コンクリート層と前記二次コンクリート層との打継目に位置して埋設されて該打継目に水を透水させ、前記集水手段は、前記打継目を透過して漏出する水を集水することが好ましい。
【００１０】
また、前記透水手段は、前記圧送手段から圧送される水を浸透可能な多孔質体で形成された透水部材と、該透水部材を挟み込んで対向する一対のプレート部材とを有すると共に、該プレート部材の平面を前記打継目に並行させて前記コンクリート供試体内に埋設されることが好ましい。
【００１１】
また、一端を前記圧送手段に接続されると共に、他端を前記一対のプレート部材の何れか一方に固定されて、その内部流路を前記透水部材に連通させた水供給配管をさらに備えることが好ましい。
【００１２】
また、一端を前記一対のプレート部材の何れか一方に固定されて、その内部流路を前記透水部材に連通させると共に、他端を大気に開放された空気排出配管と、前記空気排出配管の内部流路を開閉可能なバルブと、をさらに備えることが好ましい。
【００１３】
また、前記集水手段は、前記打継目から漏出する水を集水する漏斗を含み、前記計量手段は、前記漏斗から滴下される水を貯留する計量容器であることが好ましい。
【００１４】
本開示の方法は、供試体の透水性を評価する試験方法であって、所定圧の水を前記供試体内に圧送する圧送工程と、圧送される水を前記供試体の内部から透水させる透水工程と、前記供試体内を透過した水を計量する計量工程と、を含むことを特徴とする。
【００１５】
また、前記供試体は、先行打設した一次コンクリート層と、後行打設した二次コンクリート層とを有するコンクリート供試体であり、前記圧送工程では、前記一次コンクリート層と前記二次コンクリート層との打継目に前記所定圧の水を圧送し、前記透水工程では、圧送される水を前記打継目に透水させ、前記計量工程では、前記打継目を透過して漏出する水を計量することが好ましい。
【発明の効果】
【００１６】
本開示の技術によれば、供試体の内部に水圧を直接的に作用させることにより、供試体の透水性を効果的に評価することができる。
【図面の簡単な説明】
【００１７】
【図１】（Ａ）は、本実施形態に係る試験装置及び、供試体を示す模式的な斜視図であり、（Ｂ）は、本実施形態に係る試験装置を示す模式的な側面図である。
【図２】（Ａ）は、本実施形態に係る透水機構を示す模式的な斜視図であり、（Ｂ）は、本実施形態に係る透水機構の模式的な縦断面図である。
【図３】本実施形態に係る透水機構が供試体内に埋設された状態を示す模式的な縦断面図である。
【図４】本実施形態に係る供試体の作製手順を説明する模式図である。
【図５】本実施形態に係る試験装置を用いた供試体の透水性の評価手順を説明する模式的な縦断面図である。
【図６】本実施形態に係る試験装置を用いた供試体の透水性の評価手順を説明する模式的な横断面図である。
【図７】他の実施形態に係る試験装置の模式的な縦断面図である。
【発明を実施するための形態】
【００１８】
以下、添付図面に基づいて、本実施形態に係る試験装置及び、試験方法について説明する。同一の部品には同一の符号を付してあり、それらの名称および機能も同じである。したがって、それらについての詳細な説明は繰返さない。
【００１９】
［全体構成］
図１（Ａ）は、本実施形態に係る試験装置１０及び、供試体１００を示す模式的な斜視図であり、図１（Ｂ）は、本実施形態に係る試験装置１０を示す模式的な側面図である。同図に示すように、試験装置１０は、供試体１００を収容する収容部２０と、収容部２０を載せる載置台３０と、載置台３０を支持する支持フレーム部４０と、脚部５０と、一対の集水機構６０Ａ，６０Ｂ（集水手段）と、給排機構７０とを備えている。
【００２０】
なお、以下の説明では、試験装置１０の給排機構７０が配置されている側を前側、給排機構７０とは反対側を後側とする。また、作業者が試験装置１０を前側（給排機構７０側）から正面視したときの左方を左側、右方を右側とする。
【００２１】
供試体１００は、先行打設した一次コンクリート層１１０と、後行打設した二次コンクリート層１２０とを有する二層構造の略直方体状に形成されている。供試体１００は、前後方向の長さＬ１を約４００ｍｍ、左右方向の長さＬ２を約５００ｍｍ、上下方向の長さＬ３を約３００ｍｍで形成されている。供試体１００は、一次コンクリート層１１０と二次コンクリート層１２０との打継目１３０が略鉛直方向となるように試験装置１０に設置される。供試体１００の詳細な作製手順については後述する。
【００２２】
収容部２０は、上下前後の計４枚の金属プレート等で構成されている。具体的には、収容部２０は、供試体１００の上面を覆う上側プレート部材２１と、供試体１００の下面を覆う下側プレート部材２２と、供試体１００の前面を覆う前側プレート部材２３と、供試体１００の後面を覆う後側プレート部材２４とを備えている。
【００２３】
上側プレート部材２１及び下側プレート部材２２は、供試体１００の上下面の形状と略同形状の方形状に形成されている。これら上側プレート部材２１及び下側プレート部材２２は、供試体１００内に埋設された不図示のアンカーボルトに不図示のナットを締結することにより固定されている。なお、上側プレート部材２１及び下側プレート部材２２の固定方法は、アンカーボルトに限定されず、ブラケット等を介して前側プレート部材２３及び後側プレート部材２４に固定してもよい。
【００２４】
前側プレート部材２３及び後側プレート部材２４は、供試体１００の前後面の形状と略同形状の方形状に形成されている。これら前側プレート部材２３及び後側プレート部材２４は、供試体１００内に埋設された４本のアンカーボルト１５０にナット１６０を締結することにより固定されている。前側プレート部材２３には、後述する給排機構７０の配管７３，７５をそれぞれ挿通させる上下一対の貫通孔２３Ａ，２３Ｂが設けられている。
【００２５】
載置台３０は、例えば金属プレート等で略矩形枠体状に形成されており、前板部３１と、後板部３２と、左板部３３と、右板部３４とを備えている。左板部３３及び右板部３４の長手方向の長さは、好ましくは、供試体１００の前後方向の長さＬ１と略同等の長さで形成されている。前板部３１及び後板部３２の長手方向の長さは、好ましくは、供試体１００の左右方向の長さＬ２よりも短く形成されている。左板部３３及び右板部３４には、後述する集水機構６０Ａ，６０Ｂの各漏斗６２Ａ，６２Ｂをそれぞれ保持する左右一対の固定部材３５，３６（右側の固定部材３６は図１（Ｂ）参照）が取り付けられている。
【００２６】
支持フレーム部４０は、左右一対の上側フレーム部材４１，４２と、前後一対の下側フレーム部材４３，４４と、補強用フレーム部材４５とを備えている。
【００２７】
上側フレーム部材４１，４２は、載置台３０の下方を前後方向に並行に延びる長板状の金属プレートであって、載置台３０にブラケット４６を介して固定されている。上側フレーム部材４１，４２の長手方向の長さは、好ましくは、供試体１００の前後方向の長さＬ１よりも長く形成されている。
【００２８】
下側フレーム部材４３，４４は、下方に開口する断面略Ｕ字状の鋼材であって、上側フレーム部材４１，４２の下方を左右方向に延設されている。下側フレーム部材４３，４４は、箱状部材４７を介して上側フレーム部材４１，４２の長手方向端部に固定されている。下側フレーム部材４３，４４の長手方向の長さＬ４は、好ましくは、供試体１００の左右方向の長さＬ２よりも長い約６００ｍｍで形成されている。また、下側フレーム部材４３，４４の短手方向の長さＬ５は、好ましくは、約１００ｍｍで形成されている。さらに、各下側フレーム部材４３，４４の離間幅Ｗは、供試体１００の前後方向の長さＬ１よりも長い約４８０ｍｍで設定されている。
【００２９】
補強用フレーム部材４５は、載置台３０の下方を前後方向に延設されており、その長手方向の両端部を下側フレーム部材４３，４４に固定されている。下側フレーム部材４３，４４の長手方向の両端部からは、４本の脚部５０がそれぞれ垂下されている。
【００３０】
集水機構６０Ａ，６０Ｂは、供試体１００の打継目１３０から外部に漏出する水を集水するもので、一対の樋部材６１Ａ，６１Ｂと、一対の漏斗６２Ａ，６２Ｂと、一対の計量容器６３Ａ，６３Ｂ（計量手段）とを備えている。
【００３１】
樋部材６１Ａ，６１Ｂは、横断面略Ｕ字状に湾曲する長板材で形成されている。樋部材６１Ａ，６１Ｂは、その長手方向が上下方向、且つ、その開口側が打継目１３０と対向するように、供試体１００の左右側面にベルト部材６４等を介して保持されている。樋部材６１Ａ，６１Ｂの長手方向の長さは、好ましくは、その上下両端が供試体１００の上下面よりも突出するように、供試体１００の上下方向の長さＬ３よりも長く形成されている。打継目１３０から水が勢いよく漏出した際には、当該水が樋部材６１Ａ，６１Ｂの内周面によって確実に受け止められるようになっている。
【００３２】
漏斗６２Ａ，６２Ｂは、上端側から下端側に向かうに従い縮径する略逆円錐状に形成されている。漏斗６２Ａ，６２Ｂは、好ましくは、その中心軸線Ｘ（図１（Ｂ）参照）が打継目１３０（図１（Ａ）参照）の左右端部と略一致するように固定部材３５，３６に保持されている。漏斗６２Ａ，６２Ｂの下方には、メスシリンダ等の計量容器６３Ａ，６３Ｂが配置されている。すなわち、打継目１３０の左右端部から漏出する水が、漏斗６２Ａ，６２Ｂを介して下方の計量容器６３Ａ，６３Ｂ内に滴下されるようになっている。
【００３３】
給排機構７０は、水を圧送する水圧ポンプ７１（圧送手段）と、水圧を計測する圧力計７２と、少なくとも水を流通させる水供給配管７３と、供試体１００の打継目１３０に水を浸透（透水）させる透水機構７４（透水手段）と、少なくとも空気を流通させる空気排出配管７５と、空気排出配管７５の流路を開閉可能なエア抜きバルブ７６とを備えている。
【００３４】
水圧ポンプ７１は、例えば、０．２〜５．０ＭＰａの水圧を吐出可能な電動式又は手動式の水圧ポンプである。水圧ポンプ７１の吐出口は、不図示の配管継手等を介して水供給配管７３の上流端に接続されている。水圧ポンプ７１と隣接する水供給配管７３には、圧力計７２が設けられている。
【００３５】
水供給配管７３及び、空気排出配管７５は、例えば、内径１２．７ｍｍ：外径１７．３ｍｍの鉄パイプ等で形成されている。水供給配管７３の下流側及び、空気排出配管７５の上流側は、供試体１００内に埋設されている。また、水供給配管７３の下流端及び、空気排出配管７５の上流端には、透水機構７４が接続されている。さらに、空気排出配管７５の下流端には、エア抜きバルブ７６が設けられている。エア抜きバルブ７６を開状態で水圧ポンプ７１を駆動させると、透水機構７４の内部空気が空気排出配管７５を介して外気に放出されるようになっている。
【００３６】
［透水機構］
次に、図２，３に基づいて、本実施形態に係る透水機構７４の詳細について説明する。図２（Ａ）は、透水機構７４を示す模式的な斜視図であり、図２（Ｂ）は、透水機構７４の模式的な縦断面図である。同図に示すように、透水機構７４は、第１プレート部材７４Ａと、透水部材７４Ｂと、第２プレート部材７４Ｃとを順に積層して構成されている。
【００３７】
第１プレート部材７４Ａ及び、第２プレート部材７４Ｃは、平板状の金属プレート等で略矩形状に形成されている。第１プレート部材７４Ａ及び、第２プレート部材７４Ｃは、好ましくは、長幅Ｗ１を約２４０ｍｍ、短幅Ｗ２を約１００ｍｍで形成されている。第２プレート部材７４Ｃの略中心部には、水供給配管７３の下流端を嵌入固定する第１貫通孔７４Ｄが設けられている。また、第２プレート部材７４Ｃの一端部には、空気排出配管７５の上流端を嵌入固定する第２貫通孔７４Ｅが設けられている。これら各配管７３，７４は、好ましくは溶接等により第２プレート部材７４Ｃに固設されている。
【００３８】
透水部材７４Ｂは、水を浸透可能なモノリス多孔質体等（例えば、スリーエムジャパン株式会社製、商品名「スコッチブライト」等を好ましくは二枚重ね）で略矩形状に形成されている。透水部材７４Ｂは、好ましくは接着剤等により第１プレート部材７４Ａ及び、第２プレート部材７４Ｃにそれぞれ接合されており、各配管７３，７４の内部流路と連通する。透水部材７４Ｂの寸法は、特に限定されないが、長幅Ｗ３を約２３０ｍｍ、短幅Ｗ２を約１００ｍｍで形成されている。
【００３９】
以上のように構成された透水機構７４は、図３に示すように、透水部材７４Ｂが一次コンクリート層１１０と二次コンクリート層１２０との打継目１３０に略一致するように供試体１００内に埋設される。すなわち、エア抜きバルブ７６を閉弁した状態で、水圧ポンプ７１により水圧を加えると、水供給配管７３から透水部材７４Ｂ内に浸透した水が、第１及び第２プレート部材７４Ａ，７４Ｃの対向面に沿って案内されながら、打継目１３０に向けて確実に導かれるように構成されている。このように、透水部材７４Ｂ内に浸透した水を第１及び第２プレート部材７４Ａ，７４Ｃに沿って流通させることにより、水が打継目１３０以外の他の部位（例えば、各配管７３，７５と二次コンクリート層１２０との間等）に透水することを効果的に防止することが可能になる。供試体１００の透水性試験の詳細な手順については後述する。
【００４０】
［供試体の作製手順］
次に、図４に基づいて、本実施形態に係る供試体１００の作製手順について説明する。
【００４１】
まず、図４（Ａ）に示すように、コンクリートを不図示の型枠内に約２００ｍｍの高さまで流し込み、一次コンクリート層１１０を打設する。この際、後述する前側及び後側プレート部材２３，２４を取り付けるための４本のアンカーボルト１５０、さらには、上側及び下側プレート部材２１，２２を取り付けるための２本のアンカーボルト１７０も一次コンクリート層１１０内に埋設する。
【００４２】
次いで、図４（Ｂ）に示すように、一次コンクリート層１１０が固化するよりも前に、一次コンクリート層１１０の略中心位置に、透水機構７４の第１プレート部材７４Ａ及び、透水部材７４Ｂの一部を埋め込むように配置する。
【００４３】
次いで、一次コンクリート層１１０が少なくとも透水機構７４を自立させられる程度に固化したならば、図４（Ｃ）に示すように、コンクリートを一次コンクリート層１１０の上面から約２００ｍｍの高さまで流し込むことにより、二次コンクリート層１２０を打設する。この際、上側及び下側プレート部材２１，２２を取り付けるための２本のアンカーボルト１７０も二次コンクリート層１２０内に埋設する。
【００４４】
最後に、図４（Ｄ）に示すように、二次コンクリート層１２０が固化したならば、不図示の型枠から供試体１００を取り出し、アンカーボルト１５０にナット１６０を締結して前側及び後側プレート部材２３，２４を取り付け、アンカーボルト１７０にナット１８０を締結して上側及び下側プレート部材２１，２２を取り付けて、供試体１００の作製を終了する。
【００４５】
［評価手順］
次に、図５，６に基づいて、本実施形態に係る試験装置１０を用いた供試体１００の評価手順について説明する。本実施形態では、打継目１３０の止水性の指標の一つである透水係数ｋを求めるものとする。
【００４６】
［１：エア抜き・圧送工程］
まず、図５（Ａ）に示すように、エア抜きバルブ７６を開弁した状態で、水圧ポンプ７１から水供給配管７３を介して透水部材７４Ｂに水を圧送する。透水部材７４Ｂに水が供給されると、これに伴い、水よりも比重の軽い内部空気は上方の空気排出配管７５を介して大気に放出される。このように、水圧ポンプ７１により水圧を加えて内部空気を押し出すことで、透水部材７４Ｂから内部空気を早期に排出することができる。
【００４７】
透水部材７４Ｂの内部空気が完全に抜け切り、エア抜きバルブ７６から水が漏出し始めたならば、エア抜きバルブ７６を閉弁状態に切り替えることによりエア抜き工程を終了する。なお、図中において、黒塗り矢印は水の流れを示し、白抜き矢印は内部空気の流れを示している。
【００４８】
［２：圧送・透水工程］
次に、図５（Ｂ）に示すように、エア抜きバルブ７６を閉弁した状態で、水圧ポンプ７１により、所望の水圧の水を水供給配管７３から透水部材７４Ｂに供給する。水圧の設定は、例えば、水深２０ｍ相当の施工条件を評価するのであれば約０．２ＭＰａ、水深５００ｍ相当の施工条件を評価するのであれば約５．０ＭＰａに設定すればよい。水圧ポンプ７１の吐出圧の調節作業は、圧力計７２の計測値を確認しながら行えばよい。
【００４９】
透水部材７４Ｂに加圧状態で供給される水は、透水部材７４Ｂ内を第１及び第２プレート部材７４Ａ，７４Ｃの対向面に沿って浸透しながら打継目１３０に到達し、打継目１３０内に次第に透水し始める。本実施形態では、透水部材７４Ｂが打継目１３０と略並行な一対のプレート部材７４Ａ，７４Ｃによって挟み込まれているので、透水部材７４Ｂ内を浸透する水は、打継目１３０以外の他の部位に浸透することなく、打継目１３０に向けて確実に案内されるようになる。
【００５０】
［３：計量工程］
次に、図６に示すように、所定時間Ｔが経過して打継目１３０から外部に水が漏出し、該漏出水が漏斗６２Ａ，６２Ｂを介して計量容器６３Ａ，６３Ｂに集水されたならば、該計量容器６３Ａ，６３Ｂ内の水量Ｑを計量する。計量は、計量容器６３Ａ，６３Ｂが例えばメスシリンダであれば、該メスシリンダの目盛を読み取ればよい。
【００５１】
水量Ｑを計量したならば、水量Ｑ及び経過時間Ｔに基づいて単位時間当たりに打継目１３０の単位面積を通り抜けた水量を計算すると共に、該計算値と圧力計７２の水圧値Ｐ（又は、水圧ポンプ７１が自動制御式であれば設定圧値）との関係から透水係数ｋを計算する。透水係数ｋは、例えば、ダルシーの法則等の公式に基づいて算出すればよい。
【００５２】
以上詳述した本実施形態によれば、水圧ポンプ７１により圧送される水を供試体１００の内部に埋設された透水機構７４に供給して打継目１３０に浸透させ、該打継目１３０から漏出する水を漏斗６２Ａ，６２Ｂにより滴下して計量容器６３Ａ，６３Ｂに集水するように構成されている。これにより、打継目１３０からの漏水量を正確に把握することが可能となり、打継目１３０の透水性を高精度に評価することができる。
【００５３】
また、水圧ポンプ７１により圧送される水を供試体１００の内部に埋設した透水機構７４から浸透させるため、従前装置のような供試体を完全に密閉する収容器等が不要となり、施工条件等を考慮した大型の供試体１００にも適宜に対応することが可能になる。
【００５４】
なお、本開示は、上述の実施形態に限定されるものではなく、本開示の趣旨を逸脱しない範囲で、適宜変形して実施することが可能である。
【００５５】
例えば、上記実施形態において、透水機構７４は、透水部材７４Ｂが打継目１３０と略一致するように供試体１００内に埋設されるものとして説明したが、図７に示すように、第１プレート部材７４Ａが一次コンクリート層１１０と二次コンクリート層１２０との打継目１３０に着座するように埋設されてもよい。この場合は、図４（Ｂ）に示す工程において、一次コンクリート層１１０が固化した際に、第１プレート部材７４Ａを一次コンクリート層１１０の上面に着座させればよい。
【００５６】
また、空気排出配管７５は、その上流端を第２プレート部材７４Ｃに固定されるものとして説明したが、第１プレート部材７４Ａに固定されてもよい。この場合は、空気排出配管７５の上流側を一次コンクリート層１１０内に埋設すればよい。
【００５７】
また、供試体１００は、試験装置１０に打継目１３０が略鉛直方向となるように設置されるものとして説明したが、打継目１３０が水平方向となるように設置されてもよい。この場合は、漏斗６２Ａ，６２Ｂの上端側開口を打継目１３０の水平方向の長さに応じて拡張するか、或は、設置個数を増加すればよい。
【００５８】
また、供試体１００の寸法や形状は、上記実施形態に限定されず、さらに大型又は小型の供試体であってもよい。
【００５９】
また、供試体１００の適用範囲は、コンクリート供試体に限定されず、モルタル供試体等の他の供試体にも広く適用することが可能である。
【符号の説明】
【００６０】
１０…試験装置，２０…収容部，３０…載置台，４０…支持フレーム部，５０…脚部，６０Ａ，６０Ｂ…集水機構（集水手段），６１Ａ，６１Ｂ…樋部材，６２Ａ，６２Ｂ…漏斗，６３Ａ，６３Ｂ…計量容器（計量手段），７０…給排機構，７１…水圧ポンプ（圧送手段），７２…圧力計，７３…水供給配管，７４…透水機構７４（透水手段），７４Ａ…第１プレート部材，７４Ｂ…透水部材，７４Ｃ…第２プレート部材，７５…空気排出配管，７６…エア抜きバルブ，１００…供試体，１１０…一次コンクリート層，１２０…二次コンクリート層，１３０…打継目
【図１】
2019197014.tif 000003
【図２】
2019197014.tif 000004
【図３】
2019197014.tif 000005
【図４】
2019197014.tif 000006
【図５】
2019197014.tif 000007
【図６】
2019197014.tif 000008
【図７】
2019197014.tif 000009